(57)【要約】      （修正有）【課題】所望の長さの、特に非常に長いエンドレスコンベアベルトが形成可能なコンベアを提供する。【解決手段】コンベアは、連結されたリンク１２の一種である、エンドレスコンベアベルト１３を支持及び誘導するための手段を備える。ベルト１３は、製品を輸送するための少なくとも一つの正側延伸部と、長手方向の輸送延伸部の下部に必要に応じて配置した戻り延伸部とを備える。コンベアは、コンベアベルトを駆動し、コンベアベルトの各リンクと係合する手段３１を備えるとともに、各コンベアベルトのリンクの後向き表面と係合する手段を備える。コンベアベルトと係合しこれを駆動する手段３１は、コンベアベルト直線状の各長手方向延伸部と係合するよう構成される。【選択図】図３Ａ
0003218235.tif 000002
【実用新案登録請求の範囲】
【請求項１】
製品を搬送するコンベア（１０）であって、前記製品は好ましくは各品物の形式であって、特にティッシュ業界の品物の形式、好ましくは紙又は織布又は不織布等のその他の材料からなり、これらの品物は好ましくは、特にトイレットペーパー、キッチンペーパー、ナプキン、ハンカチ、顔ふき取り用ティッシュ、ハンドタオル、ベッドシート等用のロール状、特に箱もしくは小包であるパッケージ状、それぞれの容器状、又はアルミフォイル、プラスチックフィルム、耐油紙等の台所用途用材料のロール状であることが好ましく、前記コンベア（１０）は、特に連結式のリンク（１２）の一種であるエンドレスコンベアベルト（１３）を支持及び誘導するための手段（１１）を備え、前記ベルト（１３）が、特に前記製品を輸送するための少なくとも一つの正側延伸部と、長手方向の輸送延伸部の下部に必要ならば配置した好ましくは戻り延伸部とを備え、前記コンベアは、前記コンベアベルト（１３）を駆動し、前記コンベアベルト（１３）の対応する前記リンク（１２）と係合する手段（３１）を備える手段（３０）であって、具体的には対応するコンベアベルトのリンクの後面の表面（１８ａ）と係合するよう構成した手段を備え、前記コンベアベルト（１３）と係合しこれを駆動する前記手段（３１）は、前記コンベアベルト（１３）それ自体の、好ましくは直線状の各長手方向延伸部（１３”）と係合するよう構成されることを特徴とするコンベア。
【請求項２】
前記コンベアベルト（１３）と係合しこれを駆動するための前記手段（３１）が、前記コンベアベルト（１３）の対応する長手方向の延伸部（１３’）と、少なくとも所定の延伸部に関して平行な方向に並進することを特徴とする請求項１に記載のコンベア。
【請求項３】
前記コンベアベルト（１３）と係合しこれを駆動する前記手段は、前記コンベアベルト（１３）の各リンク１２の対応する表面（１８ａ）と係合する複数の要素即ち歯部（３１）を備え、これらの要素即ち歯部（３１）は、前記コンベアベルトそのものの各長手方向の延伸部（１３’）と係合するように構成することを特徴とする請求項１または２に記載のコンベア。
【請求項４】
前記コンベアベルト（１３）に係合しこれを駆動する前記手段は、前記コンベアベルト（１３）の各リンク（１２）の対応する表面と係合する複数の要素即ち歯部（３１）を備え、これらの要素即ち歯部（３１）は、長手方向には互いに離間しており、特に、各連結コア部（１８）の厚さ即ち径より大きい、より具体的には若干大きい距離だけ離間することを特徴とする請求項３に記載のコンベア。
【請求項５】
前記コンベアベルト（１３）に係合しこれを駆動する前記手段（３１）は、前記コンベアベルトの製品輸送表面（１４）に垂直に延び、より具体的には鉛直方向に延びることを特徴とする請求項１から４のいずれか１項に記載のコンベア。
【請求項６】
前記手段、特に前記各係合要素即ち歯部（３１）は、前記コンベアベルト（１３）の長手方向に隣接するリンク（１２）間、特に前記リンク（１２）の対応する連結コア部（１８）間に形成される、対応する空洞部即ち空間（２５）に挿入されることを特徴とする請求項１から５のいずれか１項に記載のコンベア。
【請求項７】
前記コンベアベルトの前記リンクと係合する前記各要素即ち歯部は、それぞれパッド（３１）状であって、特に通常短く太い形状を有することを特徴とする請求項１から６のいずれか１項に記載のコンベア。
【請求項８】
前記係合パッド（３１）は、プラスチック材料、特に硬質のプラスチック材料からなることを特徴とする請求項１から７のいずれか１項に記載のコンベア。
【請求項９】
前記各係合歯部即ち要素（３１）は、特に、前記コンベアベルト（１３）の対応する前記リンク（１２）の前記連結コア部（１８）の対応する後面の表面（１８ａ）と係合しこれを駆動するための前面（３１１）を有することを特徴とする請求項１から８のいずれか１項に記載のコンベア。
【請求項１０】
前記各係合歯部即ち要素（３１）の前記前面（３１１）は、特に、前記コンベアベルトの対応する前記リンクの前記連結コア部（１８）の前記対応する後面の表面（１８ａ）と係合するための前方部（３１１’）を有し、前記前方部は、平面的又は略平面的に延び、特に係合状態において、前記コンベアベルトの前記製品輸送表面１４に垂直又は略垂直に延び、特に鉛直方向又は略鉛直方向に延びることを特徴とする請求項１から９のいずれか１項に記載のコンベア。
【請求項１１】
前記各係合歯部即ち要素（３１）の前記前面（３１１）は、前記前面（３１１）の前記前方係合部（３１１’）に対して凹んだ、特に傾斜して凹んだ垂直方向外側部（３１１”）を有し、これによって前記コンベアベルトリンクの前記係合要素即ち歯部（３１）との離脱が容易となることを特徴とする請求項１０に記載のコンベア。
【請求項１２】
前記各係合要素即ち歯部（３１）は、特に、前記コンベアベルトの前記受け入れ空洞部即ち空間（２５’）の長さに略対応する量だけ、言い換えると、隣接リンクの二つの連結コア部（１８、１８）の間の距離に対応する量だけ長手方向に細長いことを特徴とする請求項１から１１のいずれか１項に記載のコンベア。
【請求項１３】
前記各係合歯部即ち要素（３１）は、背面（３１２）を有し、前記背面（３１２）は、必要に応じて、特に前記コンベアベルト（１３）の後続の隣接リンク（１２）の前記連結コア部（１８）の前記前面と係合しこれを駆動可能であることを特徴とする請求項１から１２のいずれか１項に記載のコンベア。
【請求項１４】
前記各係合歯部即ち要素（３１）の前記背面（３１２）は、後方部（３１２’）を有し、前記後方部（３１２’）は、必要に応じて、特に前記コンベアベルトの各後続リンクの前記連結コア部（１８）の対応する表面と係合可能であり、前記後方部は、平面的又は略平面的に延び、特に起こりうる係合状態において、前記コンベアベルトの前記製品輸送表面（１４）に垂直又は略垂直に延び、特に鉛直方向又は略鉛直方向に延びることを特徴とする請求項１３に記載のコンベア。
【請求項１５】
前記各係合歯部即ち要素（３１）の前記背面（３１２）は、前記背面（３１２）の起こりうる係合の前記後方部（３１２’）に対して凹んだ、特に傾斜して凹んだ垂直方向外側部（３１２”）を有し、これによって前記コンベアベルトの前記空洞部即ち空間（２５’）への挿入及び係合が容易となることを特徴とする請求項１４に記載のコンベア。
【請求項１６】
前記各係合要素即ち歯部（３１）は、相対する側面（３１３、３１４）を有し、この部分には、特に対応する移動手段に前記係合要素（３１）を固定するための手段即ち突出部が延びることを特徴とする請求項１から１５のいずれか１項に記載のコンベア。
【請求項１７】
前記各係合要素即ち歯部（３１）は、好ましくは平面状であるそれぞれの垂直方向外表面（３１５）を有し、前記外表面は、使用時には前記コンベアベルトの前記製品輸送表面（１４）の対応する下側面から垂直方向に離間することを特徴とする請求項１から１６のいずれか１項に記載のコンベア。
【請求項１８】
前記コンベアベルト（１３）に係合しこれを駆動する前記手段は、各エンドレス経路に沿って移動可能な対応する連続細長要素（４０）によって支持され及び移動することを特徴とする請求項１から１７のいずれか１項又は請求項１のプリアンブルに記載のコンベア。
【請求項１９】
前記コンベアベルト（１３）に係合及びこれを駆動する前記手段を支持する前記連続細長要素（４０）は、各延伸部（４０’、４０”）、特に前記ベルトに係合しこれを駆動するよう構成した長手方向の延伸部を有する経路に沿って延びることを特徴とする請求項１８に記載のコンベア。
【請求項２０】
前記連続支持要素（４０）の前記各駆動延伸部（４０’、４０”）は、少なくとも、前記コンベアベルト（１３）の前記経路と平行である所定の延伸部に関して延びることを特徴とする請求項１９に記載のコンベア。
【請求項２１】
前記連続支持要素（４０）は、前記コンベアベルト（１３）の前記製品支持延伸部において前記ベルトに係合しこれを駆動するよう構成した延伸部（４０’）を有する経路に沿って延びることを特徴とする請求項１９又は２０に記載のコンベア。
【請求項２２】
前記連続支持要素（４０）は、前記コンベアベルトの前記戻り延伸部において前記ベルトに係合しこれを駆動するよう構成した延伸部（４０”）を有する経路に沿って延びることを特徴とする請求項１９から２１のいずれか１項に記載のコンベア。
【請求項２３】
前記連続支持要素（４０）は、前記コンベアベルト（１３）を係合及びこれを駆動するための延伸部（４０１）を有する経路に沿って、特に前記駆動延伸部（４０’、４０”）の上流で延びることを特徴とする請求項１９から２２のいずれか１項に記載のコンベア。
【請求項２４】
前記ベルトを係合及びこれを駆動するための前記延伸部（４０１）は、特に前記駆動延伸部（４０’、４０”）の上流で、前記コンベアベルト（１３）と共に供給すると同時にこのコンベアベルト（１３）のより近くへと前進していく延伸部からなることを特徴とする請求項２３に記載のコンベア。
【請求項２５】
前記連続支持要素（４０）は、前記コンベアベルト（１３）の前記駆動を解放するための延伸部（４０２）を有する経路に沿って、特に前記駆動延伸部（４０’、４０”）の下流で延びることを特徴とする請求項１９から２４のいずれか１項に記載のコンベア。
【請求項２６】
前記ベルトの前記駆動を解放するための前記延伸部（４０２）は、特に前記駆動延伸部（４０’、４０”）の下流で、前記コンベアベルト（１３）と共に供給すると同時にこのコンベアベルト（１３）から遠ざかっていく延伸部からなることを特徴とする請求項２５に記載のコンベア。
【請求項２７】
特に前記駆動延伸部（４０’、４０”）の下流で、前記ベルトの前記駆動を解放するための前記延伸部（４０２）が前記対応する係合延伸部（４０１）より長いことを特徴とする請求項２６に記載のコンベア。
【請求項２８】
前記連続支持要素は、対応する横方向の連結ピン（４１１）によって接続された各長手方向プレート（４１０）で構成した各リンクによって形成されるチェイン（４０）の形式であることを特徴とする請求項１９から２７のいずれか１項に記載のコンベア。
【請求項２９】
前記コンベアベルトと係合する前記各要素即ち歯部（３１）は、前記チェイン（４０）のリンクから延び、一以上のリンクによって互いに離間していることを特徴とする請求項２８に記載のコンベア。
【請求項３０】
前記コンベアベルトと係合するための前記各要素即ち歯部（３１）は、前記コンベアベルト（１３）の前記正側延伸部の前記駆動延伸部上又はこのコンベアベルト（１３）の前記戻り延伸部の前記駆動延伸部上にあることを特徴とする請求項１８から２９のいずれか１項に記載のコンベア。
【請求項３１】
前記各係合要素は、前記連続支持要素に、前記連続支持要素そのものから垂直方向に延びる対応する締結要素（４５）を介して接続されることを特徴とする請求項１８から３０のいずれか１項に記載のコンベア。
【請求項３２】
前記締結要素は、対応する垂直方向突出手段（４５）の形式であって、特に、ピン（４６）が固定されて前記係合要素（３１）の対応する孔（３１０）に挿入される第一及び第二の相対する垂直突出部（４５、４５）の形式であることを特徴とする請求項３１に記載のコンベア。
【請求項３３】
前記連続支持要素の前記経路及び／又は前記コンベアベルト（１３）と係合しこれを駆動する要素（３１）を誘導する手段（５０）を備え、前記手段は特に、好ましくは直線状又は略直線状であって、前記コンベアベルトを駆動し、前記各係合要素（３１）と前記コンベアベルト（１３）とを保持するように係合させるための長手方向延伸部（５１’、５１”）と、前記長手方向延伸部の上流で、前記コンベアベルト（１３）と前記各係合要素（３１）とを係合させるための対応する傾斜延伸部（５２’、５２”）、及び／又は、前記各傾斜延伸部の下流で分離させるための傾斜延伸部（５３’、５３”）を形成することを特徴とする請求項１から３２のいずれか１項又は請求項１のプリアンブルに記載のコンベア。
【請求項３４】
前記誘導手段（５０）によって、特に前記正側及び戻り側の延伸部において前記コンベアベルトを駆動し、前記コンベアベルト（１３）と前記各係合要素（３１）とを保持するように係合させるための第一及び第二の垂直方向に相対する長手方向延伸部（５１’、５１”）と、前記各係合要素（３１）と前記コンベアベルト（１３）とを係合させるための対応する斜め方向の相対する傾斜延伸部（５２’、５２”）、及び／又は、前記駆動を解放するための対応する第一及び第二の斜め方向に相対する傾斜部（５３’、５３”）が形成されることを特徴とする請求項３３に記載のコンベア。
【請求項３５】
前記誘導手段は、細長く平面状即ち板状である単一の部材（５０）によって形成されることを特徴とする請求項３３又は３４に記載のコンベア。
【請求項３６】
前記誘導手段（５０）は、相対する下部平面状表面の間で突出する中央異形材（５１０）によって形成され、前記中央突出異形材が前記チェイン（４０）の前記リンクの前記横方向のピンを支持することを特徴とする請求項３３から３５のいずれか１項に記載のコンベア。
【請求項３７】
前記連続支持要素（４０）は、長手方向に相対する輪（６１、６２）、特に前記チェイン（４０）の前記リンクと噛合する歯車であって、特に駆動側の駆動輪（６１）と被駆動輪（６２）の形式であるような輪上で駆動されることを特徴とする請求項１８から３６のいずれか１項に記載のコンベア。
【請求項３８】
前記駆動手段は、特に前記コンベア支持手段と接続するための各手段（７１）を有する各支持手段（７０）を備えることを特徴とする請求項１から３７のいずれか１項に記載のコンベア。
【請求項３９】
前記駆動手段（３０）を支持するための前記手段（７０）は、相対するサイドパネル（７２、７４）を備え、前記サイドパネルが前記駆動輪（６１、６２）用の対応するベアリング手段を支持することを特徴とする請求項３８に記載のコンベア。
【請求項４０】
前記支持手段は、前記連続要素（４０）を誘導するための前記手段（５０）を支持し、特に、前記相対する支持サイドパネル（７２、７４）の間に設けられることを特徴とする請求項３８又は３９に記載のコンベア。
【請求項４１】
前記突出部（４５、４５）が前記係合要素（３１）の側方表面に形成された対応する空洞部に挿入されることを特徴とする請求項３１から４０のいずれか１項に記載のコンベア。
【請求項４２】
前記コンベアベルト（１３）から前記各係合要素（３１）を分離及びそこから離間するよう移動させるための前記傾斜延伸部（５３’、５３”）の長さは、前記対応する長手方向駆動延伸部（５１’、５１”）の長さと略等しいことを特徴とする請求項３１から４１のいずれか１項に記載のコンベア。
【請求項４３】
前記各係合要素（３１）を係合及び前記コンベアベルト（１３）から離間するよう移動させるための前記傾斜延伸部（５２’、５２”）の長さは、前記対応する長手方向駆動延伸部（５１’、５１”）及び／又は前記対応する傾斜分離延伸部（５３’、５３”）の長さよりはるかに短いことを特徴とする請求項３１から４２のいずれか１項に記載のコンベア。
【請求項４４】
特に連結式のリンク型であるコンベアベルトを駆動するためのユニット又は手段（３０）であって、前記コンベアベルトが請求項１から４３のいずれか１項に記載されたようなものであることを特徴とするユニット又は手段。
【請求項４５】
請求項１から４４のいずれか１項に記載の及び／又は添付の図面を参照して説明及び例示されたようなものであることを特徴とする、コンベア及び駆動ユニット。
【考案の詳細な説明】
【技術分野】
【０００１】
本考案は、製品を輸送するためのコンベアに関する。
【背景技術】
【０００２】
従来より、製品特にティッシュ業界の品物の形式の製品を輸送するためのコンベアが知られている。このようなコンベアは、連結式の各リンクを備えるタイプのエンドレスコンベアベルトを支持及び誘導するための手段と、各コンベアベルトリンクに係合するための手段、特に各コンベアベルトリンクの後面の表面と係合するよう構成した手段を備えるコンベアベルトを駆動するための手段とを備える。
【０００３】
従来技術型のこのような連結式のリンクコンベアは、コンベアベルトの一端に設けた適切な動力により駆動される駆動輪からなる各駆動手段を備え、この駆動手段によって反転駆動端を構成するものであって、ここでコンベアベルトの移動方向が、製品を上に載せた上方の正側供給延伸部（ｐｏｓｉｔｉｖｅ  ｆｅｅｄ  ｓｔｒｅｔｃｈ）と戻り延伸部（ｒｅｔｕｒｎ  ｓｔｒｅｔｃｈ）との間で変わる。
【０００４】
コンベアベルトの駆動端の反対の端部には遊動即ち被駆動輪が設けられ、戻り延伸部と製品を上に載せた正側の供給延伸部との間でコンベアベルトの移動方向が単純に変わる。
【０００５】
従って、従来のコンベアではコンベアベルトそのものの端部に配置した輪により駆動が行われるので、コンベアベルトの長さが制限され、特に長いラインに関して所望の長さのコンベアベルトを形成することができなかった。従って、長い距離に関して製品を輸送するには、輸送経路を異なる領域に分割せねばならず、各領域がそれぞれのエンドレスコンベアベルトによって提供され、これらコンベアベルト間には転送領域又はテーブルを設ける。これらによって、製品の速度が遅くなったり製品が止まったり、更にはこのような状況において製品を破損する危険性を生むことがあり、供給の流れが阻害される影響があった。
【０００６】
いずれにせよ、現在のところ利用可能な距離より長い距離に対応し、及び／又は特に効率の良い駆動動作を提供し、エネルギーコストの節約という更なる利点も備えたコンベアの必要性が業界で感じられている。
【０００７】
更に、このようなコンベアで使用される駆動システムは、必然的に上方の正側延伸部と下方の負側延伸部とを備えたコンベアベルトの製造を伴うので、多用途性が減少し、戻り側の距離に用いるかなりの量の材料が必要であった。
【０００８】
実施及び設置が特に簡単で及び／又は比較的低コストのコンベアの解決策の必要性が業界で感じられている。
【考案の概要】
【０００９】
従って、本考案は、これまでに知られていた解決策の代替となる新たな解決策を提案するものであって、具体的には、上述の欠点又は問題の一以上を解決し、及び／又は、業界で感じられた必要性特に上述のことから推測される必要性の一以上を満たす解決策を提案するものである。
【００１０】
製品を搬送するコンベアが提供されるが、この製品は好ましくは各品物の形式であって、特にティッシュ業界の品物の形式、好ましくは紙又は織物又は不織布等のその他の材料からなり、これら品物は好ましくは、特にトイレットペーパー、キッチンペーパー、ナプキン、ハンカチ、顔ふき取り用ティッシュ、ハンドタオル、ベッドシート等用のロール状、特に箱（ｐａｃｋｓ）または小包（ｐａｃｋｅｔ）であるパッケージ状、それぞれの容器状、又はアルミフォイル、プラスチックフィルム、耐油紙等の台所用途用材料のロール状であることが好ましい。このコンベアは、特に連結式のリンク型である、エンドレスコンベアベルトを支持及び誘導するための手段を備え、ベルトは、特に製品を輸送するための少なくとも一つの正側延伸部と、長手方向の輸送延伸部の下部に必要ならば配置した好ましくは戻り延伸部とを備える。コンベアは、コンベアベルトを駆動し、コンベアベルトの各リンクと係合する手段を備える手段であって、具体的には各コンベアベルトのリンクの後面の表面と係合するよう構成した手段を備え、コンベアベルトと係合しこれを駆動する手段は、コンベアベルトの好ましくは直線状の各長手方向延伸部と係合するよう構成される。
【００１１】
このように、コンベアベルトの各長手方向延長部の任意の点であって、必要ならば互いから所定の長手方向距離の点に配置可能であるコンベアベルトの駆動手段を形成可能であり、これによって所望の長さの、特に非常に長いエンドレスコンベアベルトを形成可能となる。
【００１２】
更に、コンベアベルトのうち正側即ち上方の経路だけからなるリング形状の経路に沿って延伸するコンベアベルトであって、必要ならば同一の平面内に配置されるコンベアベルトを形成可能であるので、上方の供給延伸部と下方の戻り延伸部とを有するコンベアベルトの必要がなくなる。実際、特に連結式のリンク型であるコンベアベルトの使用の柔軟性が改善された駆動システムが得られる。
【図面の簡単な説明】
【００１３】
このような革新的な態様又は具体的な有利な実施形態については添付の請求項に記載され、その技術的特徴については、添付の図面を参照した、好適で有利な実施態様に関する以下の詳細な記載により明らかとなるが、本考案は以下の実施例だけに限定されるものではない。
【図１】本考案に記載のコンベアの好適な実施形態の一部の斜視図
【図２Ａ】本考案のコンベアで使用するリンクの好適な実施形態を示す斜視図
【図２Ｂ】本考案のコンベアで使用するリンクの好適な実施形態を示す上面図
【図２Ｃ】本考案のコンベアで使用するリンクの好適な実施形態を示す底面図
【図２Ｄ】本考案のコンベアで使用するリンクの好適な実施形態を示す、図２Ａの線ＸＸＩＶ−ＸＸＩＶに沿う縦断面図
【図２Ｅ】本考案のコンベアで使用するリンクの好適な実施形態を示す、図２Ａの線ＸＸＶ−ＸＸＶに沿う横断面図
【図３Ａ】本考案に記載のコンベアベルトの駆動ユニットの好適な実施形態の縦断面図
【図３Ｂ】本考案に記載のコンベアベルトの駆動ユニットの好適な実施形態の縦断面図
【図４Ａ】本考案に記載の駆動ユニットの好適な実施形態の側面図
【図４Ｂ】本考案に記載の駆動ユニットの好適な実施形態の上面図であって一部を断面で表した図
【図４Ｃ】本考案に記載の駆動ユニットの好適な実施形態の正面図
【図４Ｄ】本考案に記載の駆動ユニットの好適な実施形態の分解斜視図
【考案を実施するための形態】
【００１４】
添付の図面に、各製品を輸送するためのコンベアの好適な実施形態１０を示す。
【００１５】
製品が各品物からなることが好ましい。
【００１６】
具体的には、品物は、ティッシュ業界の品物の形式であって、つまり、紙又は織布又は不織布等のその他の材料からなる品物の形式であって、好ましくは、特にトイレットペーパー、キッチンペーパー、ナプキン、ハンカチ、顔ふき取り用ティッシュ、ハンドタオル、ベッドシート等用のロール状、特に箱又は小包であるパッケージ状、それぞれの容器状、又はアルミフォイル、プラスチックフィルム、耐油紙等の台所用材料のロール状であることが好ましい。
【００１７】
図示するように、コンベア１０は、エンドレスコンベアベルト１３を支持及び誘導するための手段１１を備え、特に、好ましくは適切な剛性プラスチック材料でできた連結手段即ちピン１９によってリンク１２同士が連結されるような種類のものである。
【００１８】
添付の図面に詳細に示してはいないが、コンベアベルトは、特に図１から推測されるように、特に製品を輸送するための正側延伸部１３ａを備え、及び好ましくはこの輸送延伸部の下に配置される戻り延伸部１３ｂを備える。
【００１９】
具体的には、コンベアベルト１３は、本考案と同じ出願人による国際特許出願公開ＷＯ２０１２／００１５３８に記載のようなコンベアベルトであってよい。
【００２０】
具体的には、コンベアベルトは、リンク１２を備えるが、このリンクは、プラスチック材料の単体として形成即ち成形され、対応する連結ピンによって隣接する、特にそのリンクの前及び後ろの各リンクと接続される。
【００２１】
具体的には、図１から推測されるように、支持手段は、長手方向に延びコンベアベルトの供給及び戻り延伸部１３ａ、１３ｂを摺動可能に支持する複数の異形材（ｐｒｏｆｉｌｅｓ）１１を備える。これら長手方向異形材は、添付の図面には詳細に示していない対応する垂直材（ｕｐｒｉｇｈｔｓ）上に取り付けてもよい。
【００２２】
長手方向異形材１１’は、添付の図面には詳細に示していないが、各供給及び戻り延伸部に関してそれぞれ第一及び第二の摺動誘導部を備える。これら摺動誘導部は各異形材の相対する水平方向付属部と関連、特にその上に嵌合するものであって適切な材料からなり、ベルトの供給即ち前方延伸部１３ａ上のリンクの横方向支持プレート１４の下側及びベルトの戻り延伸部１３ｂ上の水平方向の垂直保持付属部２１ａ、２１ｂと係合する手段を構成する。実際、これらの誘導部は、リンクの横方向支持プレート１４と垂直保持付属部２１ａ、２１ｂとの間に介在する。
【００２３】
図２Ａ〜図２Ｅから推測されるように、各リンク１２は、上方の製品支持部１４と下方の接続部１６とを備え、下方の接続部によって他のコンベアリンクと連結され、下方の接続部は支持部１４と一体として形成されそこから垂直方向に延伸する。
【００２４】
リンクの下方即ち連結部は更に、コンベアの支持手段１１と共に保持及び誘導手段を構成する。
【００２５】
推測されるように、リンク１２の連結部１６にはピン１９と係合するための前方中央部即ちコア部１８が備わっており、ピンによって直前のリンクに接続する。ピンは、前方に接続する連結部即ちコア部１８の対応する横方向貫通穴１８’へと延びる。
【００２６】
中央部は、略円筒形の外側輪郭を備えたコア部１８を有し、以下の記載によってより明らかになるように、コンベアベルトの駆動手段の各歯即ち要素と係合する後面の表面１８ａを有する。
【００２７】
コンベアベルト１３は、図示するように、駆動輪及び移動方向反転輪がそれぞれ配置された二つの相対する端部の間に、上方の前方供給延伸部と下方の後退戻り延伸部とを形成するよう移動することが好ましい。但し、本考案のコンベアは、コンベアベルトのうち正側即ち上方の経路だけからなるリング形状の経路に沿って延伸するコンベアベルトの形式であってもよく、必要ならば同一の平面内に配置されていてもよい。
【００２８】
図示するように、リンクの底部のコア部１８から後方に、隣接リンク１２を接続するピン１９の接続及び連結のための二つの長手方向付属部２０ａ、２０ｂが延びている。図３Ａから容易に推測されるように、ピンは、鉛直方向付属部２０ａ、２０ｂ内並びに後続のリンクのコア部１８内に形成した対応する横方向貫通穴２０’ａ、２０’ｂ内に延びる。
【００２９】
図示するように、長手方向付属部２０ａ、２０ｂは横方向には互いに離間しており、この空間において後続のリンクの対応する前方中央部即ちコア部１８を受け入れる。
【００３０】
図示するように、製品支持部１６は、連結部１６の両側を横方向及び側方に超えて延びる対応する水平プレート２２を備え、製品を支持するための広い表面２３であって特に平らな表面を形成する。具体的には、支持表面２３は、前方横方向端部２３ａ及び後方横方向端部２３ｂの間で長手方向に延び、相対する直線的な側面即ち側方端部２３ｃ、２３ｄを横切るように横方向に延びる。
【００３１】
図示するように、側面即ち側方端部２３ｃ、２３ｄはリンクに平行であってその長手方向にある。
【００３２】
リンク１２は更に、前方端部２３ａに長手方向の突出部と後方端部２３ｂに長手方向の突出部とを有する。これらの長手方向の突出部は、隣接リンク、即ち先行するリンク及び後続のリンクであってリンクの後方端部２３ｂに凹部とリンクの前方端部２３ａに凹部とを備えるリンク上の対応する凹部に挿入されるよう設計される。
【００３３】
実際には、図示するように、駆動及び連結コア部１８の後ろであってプレート２２の長手方向の一部２０ａ及び２０ｂと対応する下側表面１４’との間において、各リンクは空洞部２５’を有し、以下の説明によってより明らかとなるように、ここにコンベアベルト１３の駆動手段のコンベアベルト係合及び駆動歯部即ち要素が挿入される。
【００３４】
本考案のコンベアは、コンベアベルト１３を駆動するための対応する手段３０を有し、コンベアベルト１３の各リンク１２、特に各連結コア部１８と、特にリンク１２のコア部１８の背面にある空洞部２５’内に挿入することによって係合するよう構成した対応する手段３１ｂを備える。
【００３５】
具体的には、コンベアベルト１３の各リンク１２と係合する手段３１は、コンベアベルト１３の各リンク１２の後面の表面１８ａと係合するよう構成される。
【００３６】
係合手段３１は、コンベアベルト１２を駆動する駆動動作を発生するよう移動可能である。
【００３７】
有利なことに、コンベアベルト１３と係合及びこれを駆動する手段３１は、コンベアベルト１３そのものの好ましくは直線状である各長手方向の延伸部と係合するよう構成される。
【００３８】
このように、コンベアベルトの各長手方向延長部の任意の点であって、必要ならば互いから所定の長手方向距離の点に配置可能であるコンベアベルトの駆動手段を形成可能であり、これによって所望の長さの、特に非常に長いエンドレスコンベアベルトを形成可能となる。
【００３９】
有利なことに、図面から推測されるように、コンベアベルト１３と係合しこれを駆動する手段３１は、コンベアベルト１３の対応する長手方向延伸部１３’と、少なくとも所定の延伸部に関して平行な方向に並進する。
【００４０】
更に有利なことに、コンベアベルト１３と係合しこれを駆動する手段は、コンベアベルト１３の各リンク１２の対応する表面１８ａと係合する複数の歯状要素３１を備え、これらの要素即ち歯部３１は、コンベアベルトそのものの各長手方向の延伸部１３’と係合するように構成される。
【００４１】
これによって、コンベアベルトに特に有利で効率的な係合動作が加わる。
【００４２】
更に有利なことに、コンベアベルト１３に係合しこれを駆動する手段３１は、コンベアベルト１３の製品輸送表面１４に垂直に延び、より具体的には鉛直方向に延びる。
【００４３】
具体的にはコンベアベルト１３に係合しこれを駆動する手段は、コンベアベルト１３の各リンク１２の対応する表面と係合する複数の要素即ち歯部３１を備え、これらの要素即ち歯部３１は、長手方向には互いに離間しており、特に、各連結コア部１８の厚さ、即ちその径より大きい、より具体的には若干大きい距離だけ離間する。
【００４４】
これらの手段、特に各係合要素即ち歯部３１は、コンベアベルト１３の長手方向に隣接するリンク１２間、特に各リンク１２の対応する連結コア部１８間に形成される対応する空洞部即ち空間２５’に挿入される。
【００４５】
有利なことに、コンベアベルトのリンクと係合する各要素即ち歯部は、それぞれパッド又はブロック３１の形式であって、特に略短く太い（ｓｔｕｂｂｙ）形状を有する。
【００４６】
有利なことに、係合パッド又はブロック３１は、プラスチック材料、特に硬質のプラスチック材料からなる。
【００４７】
有利なことに、特に図３Ａから推測されるように、各係合歯部即ち要素３１は、特にコンベアベルト１３の各リンク１２の連結コア部１８の対応する後面の表面１８ａと係合しこれを駆動するための前面３１１を有する。
【００４８】
有利なことに、図示するように、各係合歯部即ち要素３１の前面３１１は、特にコンベアベルト１３の各リンク１２の連結コア部１８の対応する後面の表面１８ａと係合するための前方部３１１’を有する。前方部３１１’は、平面的又は略平面的に延び、特に、係合状態において、コンベアベルトの製品輸送表面１４に垂直又は略垂直に延び、特に鉛直方向又は略鉛直方向に延びる。
【００４９】
有利なことに、各係合歯部即ち要素３１の前面３１１は、前面３１１の前方係合部３１１’に対して凹んだ、特に傾斜して凹んだ垂直方向外側部３１１”を有し、これによってコンベアベルトのリンクの係合要素即ち歯部３１との離脱が容易となる。つまり、各コンベアベルトリンクから対応する係合要素即ち歯部３１を離脱させるために下降する最終段階が容易となる。図示するように、凹み部３１１”は、前方部３１１’と同じパッドの長手方向外側表面３１５とを接続する。
【００５０】
有利なことに、各係合要素即ち歯部３１は、特にコンベアベルトの受け入れ空洞部即ち空間２５’の長さに略対応する量だけ、言い換えると、コンベアベルトの隣接リンク１２、１２の二つの連結コア部１８、１８の間の距離に対応する量だけ長手方向に細長い。
【００５１】
これによって、係合要素即ち歯部３１に対してベルトが長手方向に過度に摺動することを防ぎ、従って、コンベアベルトは常に最適に係合且つ駆動可能な状態にある。
【００５２】
有利なことに、図示するように、各係合歯部即ち要素３１は、必要があれば、特にコンベアベルト１３の隣接リンク１２の連結コア部１８の前面と係合しこれを駆動可能である背面３１２を有する。
【００５３】
特に、各係合歯部即ち要素３１の背面３１２は、特にコンベアベルトの各隣接するリンクの連結コア部１８の対応する表面と必要があれば係合可能である後方部３１２’を有する。この後方部は、平面的又は略平面的に延び、特に、起こりうる係合状態において、コンベアベルトの製品輸送表面１４に垂直又は略垂直に延び、特に鉛直方向又は略鉛直方向に延びる。
【００５４】
特に、図示するように、各係合歯部即ち要素３１の背面３１２は、背面３１２の起こりうる係合時に後方部３１２’に対して凹んだ、特に傾斜して凹んだ垂直方向外側部３１２”を有し、これによってコンベアベルトの空洞部即ち空間２５’への挿入及び係合が容易となる。図示するように、凹み部３１２”は、後方部３１２’と同じパッドの長手方向外表面３１５とを接続する。
【００５５】
図示するように、各係合歯部即ち要素３１の背面３１２は、特に、前面３１１の対応する部分３１１”に比べてより傾斜しより長い部分である垂直方向の外表面３１２”を有しており、それぞれの前面３１１とは異なる形状を有する。但し、別の実施形態において、背面３１２は、係合要素３１の対応する前面３１１のように形成してもよいことは容易に想像でき、これによって移動の可逆性が得られ、コンベアベルトは前方及び後方の両方に効率的かつ最適に移動可能となる。
【００５６】
有利なことに、図示するように、各係合要素即ち歯部３１は、相対する側面３１３、３１４を有し、この部分には、特に対応する移動手段に係合要素３１そのものを固定するための手段即ち突出部が延びる。
【００５７】
有利なことに、各係合要素即ち歯部３１は、好ましくは平面状である垂直方向外表面３１５を有し、使用時にはコンベアベルトの製品輸送表面１４の対応する下側面から垂直方向に離間し、更にリンクの製品支持プレート２２内に形成した穴７１ａを介してゴミ（ｗａｓｔｅ）が簡単に落ちるようになっている。
【００５８】
図示するように、有利なことに、コンベアベルト１３に係合しこれを駆動する手段は、各エンドレス経路に沿って移動可能な対応する連続細長要素４０によって支持され及びこれによって移動する。
【００５９】
有利なことに、コンベアベルト１３に係合及びこれを駆動する手段を支持する連続細長要素４０は、各延伸部、特に長手方向の延伸部を有する経路に沿って延び、この延伸部４０’及び／又は４０”がベルトと係合しこれを駆動するよう構成される。
【００６０】
具体的には、連続支持要素４０は、コンベアベルト１３それ自体の製品支持延伸部においてコンベアベルトに係合しこれを駆動するよう構成された延伸部４０’を有する経路に沿って延びる。
【００６１】
更に、有利なことに、連続支持要素４０は、コンベアベルトそれ自体の戻り延伸部においてコンベアベルトに係合しこれを駆動するよう構成された延伸部４０”を有する経路に沿って延びる。
【００６２】
このように、上方の正側の延伸部と下方の戻り延伸部との両方に加わる駆動動作によって、コンベアベルトの最適な駆動系が得られる。駆動ユニット３０は、コンベアベルトの正側の延伸部とのみ或いは戻り延伸部、特にコンベアベルトの下方の延伸部とのみ噛み合ってもよいことが想像可能である。
【００６３】
有利なことに、連続支持要素４０の各駆動延伸部４０’、４０”は、少なくとも、コンベアベルト１３の経路と平行である所定の延伸部に関して延びる。
【００６４】
有利なことに、連続支持要素４０は、ベルトを係合及びこれを駆動するための延伸部４０１を有する経路に沿って、特に対応する駆動延伸部４０’、４０”の上流で延びる。
【００６５】
有利なことに、ベルトを係合及びこれを駆動するための延伸部４０１は、特に対応する駆動延伸部４０’、４０”の上流で、コンベアベルト１３と共に供給すると同時にこのコンベアベルト１３のより近くへと前進していく延伸部からなる。
【００６６】
有利なことに、連続支持要素４０は、コンベアベルト１３の駆動を解放するための延伸部４０２を有する経路に沿って、特に対応する駆動延伸部４０’、４０”の下流で延びる。
【００６７】
有利なことに、ベルトの駆動を解放するためのこの延伸部４０２は、特に対応する駆動延伸部４０’、４０”の下流で、コンベアベルト１３と共に供給すると同時にこのコンベアベルト１３から遠ざかっていく延伸部からなる。
【００６８】
有利なことに、特に各駆動延伸部４０’、４０”の下流での、ベルトの駆動を解放するためのこの延伸部４０２は、駆動延伸部の上流での対応する係合延伸部４０１より長い。
【００６９】
このこと全てによって、コンベアベルトと係合しこれを駆動するための手段３１と係合及び／又は分離するための効率的なシステムがもたらされる。
【００７０】
有利なことに、図示するように、連続支持要素は、横方向の連結ピン４１１によって接続された長手方向プレート４１０で構成した各リンクによって形成されるチェイン４０の形式である。
【００７１】
図示するように、有利なことに、コンベアベルトと係合する各要素即ち歯部３１はそれぞれ、チェイン４０のリンクから延び、一以上のリンクによって互いに離間している。
【００７２】
具体的には、コンベアベルトと係合するための各要素即ち歯部３１は、連続要素４０の全体になくてもよく、使用時には、コンベアベルト１３の正側の延伸部上にあったりこのコンベアベルト１３の戻り延伸部上にあったりする。
【００７３】
有利なことに、各係合要素は、連続支持要素、特にチェイン４０の各リンクと、この連続支持要素そのものから垂直方向に延びる対応する締結要素４５を介して接続される。
【００７４】
具体的には、有利なことに、締結要素は、対応する垂直方向突出手段４５の形式であって、特に第一及び第二の相対する垂直突出部４５、４５の形式であり、この突出部にピン４６が固定されて係合要素３１の対応する孔３１７に挿入される。
【００７５】
締結ピン４６を保持する各突出部４５は、逆Ｔ字形状のプレートによって形成され、その羽根部はチェインリンクのピンに固定され、そのコア部は延びて各係合要素３１の締結手段を形成する。
【００７６】
具体的には、図示するように、各突出部４５、４５は、係合要素３１の側部表面に設けた特に垂直方向の対応する空洞部１３６内に挿入されるので、この要素３１の横方向の輪郭の外側へと横方向に突出しない。
【００７７】
有利なことに、連続支持要素４０の経路及び／又はコンベアベルト１３と係合しこれを駆動する要素３１とを誘導する手段５０が設けられるが、好ましくは直線状又は略直線状であって、コンベアベルトを駆動し、各係合要素３１とコンベアベルト１３とを保持するように係合させるための長手方向延伸部５１’、５１”、及び／又は、この長手方向延伸部の上流で、コンベアベルト１３と各係合要素３１とを係合させるための対応する傾斜延伸部５２’、５２”、及び／又は、各傾斜延伸部の下流で分離させるための傾斜延伸部５３’、５３”を形成する。
【００７８】
有利なことに、この誘導手段５０によって、特に正側及び戻り側の延伸部においてコンベアベルトを駆動し、コンベアベルト１３と各係合要素３１とを保持するように係合させるための第一及び第二の垂直方向に相対する長手方向延伸部５１’、５１”、及び／又は、各係合要素３１とコンベアベルト１３とを係合させるため斜め方向の相対する傾斜延伸部５２’、５２”、及び／又は、コンベアベルトから各係合要素３１を分離させるための斜め方向の相対する傾斜部５３’、５３”が形成される。
【００７９】
更に有利なことに、これらの誘導手段は、単一の部材５０によって形成され、この部材は細長く平面状即ち板状であって、特に長手方向及び垂直方向、即ち鉛直方向に延びる。
【００８０】
具体的には、誘導手段５０は、相対する下部平面状表面５１１の間で突出する中央異形材５１０によって形成され、この中央突出異形材５１０がチェイン４０のリンクの横方向のピンを支持する。
【００８１】
図示するように、有利なことに、コンベアベルト１３から各係合要素３１を分離及びそこから離間するよう移動させるための傾斜延伸部５３’、５３”の長さは、対応する長手方向駆動延伸部５１’、５１”の長さと略等しい。
【００８２】
更に有利なことに、各係合要素３１を係合及びコンベアベルト１３から離間するよう移動させるための傾斜延伸部５２’、５２”の長さは、対応する長手方向駆動延伸部５１’、５１”及び／又は対応する傾斜分離延伸部５３’、５３”の長さよりはるかに短い。
【００８３】
有利なことに、連続支持要素４０は、長手方向に相対する輪６１、６２、特にチェイン４０のリンクと噛合する歯車であって、特に駆動側の駆動輪６１と被駆動輪６２の形式であるような輪上で駆動される。
【００８４】
更に有利なことに、駆動手段３０は、特にコンベア支持手段と接続するための手段７１を有する各支持手段７０を備え、接続手段は、特に支持サイドパネル７２、７４の端部に設けた締結孔の形式である。
【００８５】
具体的には、駆動手段３０を支持するための手段７０は、上述のように、相対するサイドパネル７２、７４を備え、このサイドパネルが駆動輪６１、６２用の対応するベアリング手段を支持する。
【００８６】
これらの支持手段は更に、連続要素４０を誘導するための手段５０を支持し、特に、相対する支持サイドパネル７２、７４の間に設けられる。
【００８７】
上述の本考案は産業的に応用可能である。上述の本考案の精神と範囲から逸脱することなく幾つかの変更や修正を本考案に対して行えることが当業者にとっては明らかであろう。更に、本明細書に記載の一以上の特徴を備える本考案の更なる好ましい実施形態を容易に想像可能であろう。更に、本考案の詳細の全ては、技術的に等価な要素によって置き換えが可能であることも理解されるであろう。
【先行技術文献】
【特許文献】
【００８８】
【特許文献１】国際特許出願公開ＷＯ２０１２／００１５３８
【図１】
0003218235.tif 000003
【図２Ａ】
0003218235.tif 000004
【図２Ｂ】
0003218235.tif 000005
【図２Ｃ】
0003218235.tif 000006
【図２Ｄ】
0003218235.tif 000007
【図２Ｅ】
0003218235.tif 000008
【図３Ａ】
0003218235.tif 000009
【図３Ｂ】
0003218235.tif 000010
【図４Ａ】
0003218235.tif 000011
【図４Ｂ】
0003218235.tif 000012
【図４Ｃ】
0003218235.tif 000013
【図４Ｄ】
0003218235.tif 000014
【手続補正書】
【提出日】平成30年8月2日(2018.8.2)
【手続補正１】
【補正対象書類名】実用新案登録請求の範囲
【補正対象項目名】全文
【補正方法】変更
【補正の内容】
【実用新案登録請求の範囲】
【請求項１】
製品を搬送するコンベア（１０）であって、前記製品はティッシュ業界の品物の形式であり、紙又は織布又は不織布からなり、これらの品物は、トイレットペーパー、キッチンペーパー、ナプキン、ハンカチ、顔ふき取り用ティッシュ、ハンドタオル、ベッドシート用のロール状、箱もしくは小包であるパッケージ状、それぞれの容器状、又はアルミフォイル、プラスチックフィルム、耐油紙の台所用途用材料のロール状であり、前記コンベア（１０）は、連結式のリンク（１２）の一種であるエンドレスコンベアベルト（１３）を支持及び誘導するための手段（１１）を備え、前記ベルト（１３）が、前記製品を輸送するための少なくとも一つの正側延伸部と、長手方向の輸送延伸部の下部に配置した戻り延伸部とを備え、前記コンベアは、前記コンベアベルト（１３）を駆動し、前記コンベアベルト（１３）の対応する前記リンク（１２）と係合する手段を備える手段（３０）であって、具体的には対応するコンベアベルトのリンクの後面の表面（１８ａ）と係合するよう構成した手段を備え、前記コンベアベルト（１３）と係合しこれを駆動する前記手段は、前記コンベアベルト（１３）それ自体の、直線状の各長手方向延伸部（１３”）と係合するよう構成されることを特徴とするコンベア。
【請求項２】
前記コンベアベルト（１３）と係合しこれを駆動するための前記手段が、前記コンベアベルト（１３）の対応する長手方向の延伸部（１３’）と、少なくとも所定の延伸部に関して平行な方向に並進することを特徴とする請求項１に記載のコンベア。
【請求項３】
前記コンベアベルト（１３）と係合しこれを駆動する前記手段は、前記コンベアベルト（１３）の各リンク１２の対応する表面（１８ａ）と係合する複数の歯部（３１）を備え、これらの歯部（３１）は、前記コンベアベルトそのものの各長手方向の延伸部（１３’）と係合するように構成することを特徴とする請求項１または２に記載のコンベア。
【請求項４】
これらの歯部（３１）は、長手方向には互いに離間しており、各連結コア部（１８）の厚さ即ち径より大きい距離だけ離間することを特徴とする請求項３に記載のコンベア。
【請求項５】
前記コンベアベルト（１３）に係合しこれを駆動する前記手段は、前記コンベアベルトの製品輸送表面（１４）に垂直に延びることを特徴とする請求項４に記載のコンベア。
【請求項６】
前記各歯部（３１）は、前記コンベアベルト（１３）の長手方向に隣接するリンク（１２）間であって、前記リンク（１２）の対応する連結コア部（１８）間に形成される、対応する空洞部（２５’）に挿入されることを特徴とする請求項５に記載のコンベア。
【請求項７】
前記コンベアベルトの前記リンクと係合する前記各歯部（３１）は、それぞれ係合パッドであって、短く太い形状を有することを特徴とする請求項６に記載のコンベア。
【請求項８】
前記係合パッドは、硬質のプラスチック材料からなることを特徴とする請求項７に記載のコンベア。
【請求項９】
前記各歯部（３１）は、前記コンベアベルト（１３）の対応する前記リンク（１２）の前記連結コア部（１８）の対応する後面の表面（１８ａ）と係合しこれを駆動するための前面（３１１）を有することを特徴とする請求項６から８のいずれか１項に記載のコンベア。
【請求項１０】
前記各歯部（３１）の前記前面（３１１）は、前記コンベアベルトの対応する前記リンクの前記連結コア部（１８）の前記対応する後面の表面（１８ａ）と係合するための前方部（３１１’）を有し、前記前方部は、平面的又は略平面的に延び、係合状態において、前記コンベアベルトの前記製品輸送表面１４に垂直又は略垂直に延びることを特徴とする請求項９に記載のコンベア。
【請求項１１】
前記各歯部（３１）の前記前面（３１１）は、前記前面（３１１）の前記前方係合部（３１１’）に対して傾斜して凹んだ垂直方向外側部（３１１”）を有し、これによって前記コンベアベルトリンクの前記歯部（３１）との離脱が容易となることを特徴とする請求項１０に記載のコンベア。
【請求項１２】
前記各歯部（３１）は、前記コンベアベルトの前記空洞部（２５’）の長さに略対応する量だけ、言い換えると、隣接リンクの二つの連結コア部（１８、１８）の間の距離に対応する量だけ長手方向に細長いことを特徴とする請求項６から１１のいずれか１項に記載のコンベア。
【請求項１３】
前記各歯部（３１）は、背面（３１２）を有し、前記背面（３１２）は、前記コンベアベルト（１３）の後続の隣接リンク（１２）の前記連結コア部（１８）の前記前面と係合しこれを駆動可能であることを特徴とする請求項６から１２のいずれか１項に記載のコンベア。
【請求項１４】
前記各歯部（３１）の前記背面（３１２）は、後方部（３１２’）を有し、前記後方部（３１２’）は、前記コンベアベルトの各後続リンクの前記連結コア部（１８）の対応する表面と係合可能であり、前記後方部は、平面的又は略平面的に延び、起こりうる係合状態において、前記コンベアベルトの前記製品輸送表面（１４）に垂直又は略垂直に延びることを特徴とする請求項１３に記載のコンベア。
【請求項１５】
前記各歯部（３１）の前記背面（３１２）は、前記背面（３１２）の起こりうる係合の前記後方部（３１２’）に対して傾斜して凹んだ垂直方向外側部（３１２”）を有し、これによって前記コンベアベルトの前記空洞部（２５’）への挿入及び係合が容易となることを特徴とする請求項１４に記載のコンベア。
【請求項１６】
前記各歯部（３１）は、相対する側面（３１３、３１４）を有し、この部分には、対応する移動手段に前記歯部（３１）を固定するための手段即ち突出部が延びることを特徴とする請求項６から１５のいずれか１項に記載のコンベア。
【請求項１７】
前記各歯部（３１）は、平面状であるそれぞれの垂直方向外表面（３１５）を有し、前記外表面は、使用時には前記コンベアベルトの前記製品輸送表面（１４）の対応する下側面から垂直方向に離間することを特徴とする請求項６から１６のいずれか１項に記載のコンベア。
【請求項１８】
前記コンベアベルト（１３）に係合しこれを駆動する前記手段は、各エンドレス経路に沿って移動可能な対応する連続支持要素（４０）によって支持され及び移動することを特徴とする請求項６から１７のいずれか１項に記載のコンベア。
【請求項１９】
前記コンベアベルト（１３）に係合及びこれを駆動する前記手段を支持する前記連続支持要素（４０）は、各駆動延伸部（４０’、４０”）であって、前記ベルトに係合しこれを駆動するよう構成した長手方向の駆動延伸部を有する経路に沿って延びることを特徴とする請求項１８に記載のコンベア。
【請求項２０】
前記連続支持要素（４０）の前記各駆動延伸部（４０’、４０”）は、少なくとも、前記コンベアベルト（１３）の前記経路と平行である所定の延伸部に関して延びることを特徴とする請求項１９に記載のコンベア。
【請求項２１】
前記連続支持要素（４０）は、前記コンベアベルト（１３）の製品支持延伸部において前記ベルトに係合しこれを駆動するよう構成した前記駆動延伸部（４０’）を有する経路に沿って延びることを特徴とする請求項１９又は２０に記載のコンベア。
【請求項２２】
前記連続支持要素（４０）は、前記コンベアベルトの前記戻り延伸部において前記ベルトに係合しこれを駆動するよう構成した前記駆動延伸部（４０”）を有する経路に沿って延びることを特徴とする請求項１９から２１のいずれか１項に記載のコンベア。
【請求項２３】
前記連続支持要素（４０）は、前記コンベアベルト（１３）を係合及びこれを駆動するための延伸部（４０１）を有する経路に沿って、前記駆動延伸部（４０’、４０”）の上流で延びることを特徴とする請求項１９から２２のいずれか１項に記載のコンベア。
【請求項２４】
前記ベルトを係合及びこれを駆動するための前記延伸部（４０１）は、前記駆動延伸部（４０’、４０”）の上流で、前記コンベアベルト（１３）と共に供給すると同時にこのコンベアベルト（１３）のより近くへと前進していく延伸部からなることを特徴とする請求項２３に記載のコンベア。
【請求項２５】
前記連続支持要素（４０）は、前記コンベアベルト（１３）の前記駆動を解放するための延伸部（４０２）を有する経路に沿って、前記駆動延伸部（４０’、４０”）の下流で延びることを特徴とする請求項２３または２４に記載のコンベア。
【請求項２６】
前記ベルトの前記駆動を解放するための前記延伸部（４０２）は、前記駆動延伸部（４０’、４０”）の下流で、前記コンベアベルト（１３）と共に供給すると同時にこのコンベアベルト（１３）から遠ざかっていく延伸部からなることを特徴とする請求項２５に記載のコンベア。
【請求項２７】
前記駆動延伸部（４０’、４０”）の下流で、前記ベルトの前記駆動を解放するための前記延伸部（４０２）が前記対応する係合延伸部（４０１）より長いことを特徴とする請求項２６に記載のコンベア。
【請求項２８】
前記連続支持要素（４０）は、対応する横方向の連結ピン（４１１）によって接続された各長手方向プレート（４１０）で構成した各リンクによって形成されるチェインの形式であることを特徴とする請求項１９から２７のいずれか１項に記載のコンベア。
【請求項２９】
前記コンベアベルトと係合する前記各歯部（３１）は、前記チェインのリンクから延び、一以上のリンクによって互いに離間していることを特徴とする請求項２８に記載のコンベア。
【請求項３０】
前記コンベアベルトと係合するための前記各歯部（３１）は、前記コンベアベルト（１３）の前記正側延伸部の前記駆動延伸部上又はこのコンベアベルト（１３）の前記戻り延伸部の前記駆動延伸部上にあることを特徴とする請求項２８または２９に記載のコンベア。
【請求項３１】
前記各歯部は、前記連続支持要素に、前記連続支持要素そのものから垂直方向に延びる対応する締結要素を介して接続されることを特徴とする請求項２８から３０のいずれか１項に記載のコンベア。
【請求項３２】
前記締結要素は、対応する垂直方向突出手段の形式であって、ピン（４６）が固定されて前記歯部（３１）の対応する孔（３１０）に挿入される第一及び第二の相対する垂直突出部（４５、４５）の形式であることを特徴とする請求項３１に記載のコンベア。
【請求項３３】
前記連続支持要素の前記経路及び／又は前記コンベアベルト（１３）と係合しこれを駆動する前記歯部（３１）を誘導する手段（５０）を備え、前記手段は、直線状又は略直線状であって、前記コンベアベルトを駆動し、前記各歯部（３１）と前記コンベアベルト（１３）とを保持するように係合させるための長手方向延伸部（５１’、５１”）と、前記長手方向延伸部の上流で、前記コンベアベルト（１３）と前記各歯部（３１）とを係合させるための対応する傾斜延伸部（５２’、５２”）、及び／又は、前記各傾斜延伸部の下流で分離させるための傾斜延伸部（５３’、５３”）を形成することを特徴とする請求項２８から３２のいずれか１項に記載のコンベア。
【請求項３４】
前記誘導手段（５０）によって、前記正側及び戻り側の延伸部において前記コンベアベルトを駆動し、前記コンベアベルト（１３）と前記各歯部（３１）とを保持するように係合させるための第一及び第二の垂直方向に相対する長手方向延伸部（５１’、５１”）と、前記各歯部（３１）と前記コンベアベルト（１３）とを係合させるための対応する斜め方向の相対する傾斜延伸部（５２’、５２”）、及び／又は、前記駆動を解放するための対応する第一及び第二の斜め方向に相対する傾斜部（５３’、５３”）が形成されることを特徴とする請求項３３に記載のコンベア。
【請求項３５】
前記誘導手段（５０）は、細長く平面状即ち板状である単一の部材によって形成されることを特徴とする請求項３３又は３４に記載のコンベア。
【請求項３６】
前記誘導手段（５０）は、相対する下部平面状表面の間で突出する中央異形材（５１０）によって形成され、前記中央突出異形材が前記チェインの前記リンクの前記横方向のピンを支持することを特徴とする請求項３３から３５のいずれか１項に記載のコンベア。
【請求項３７】
前記連続支持要素（４０）は、前記チェインの前記リンクと噛合する歯車であって、駆動側の駆動輪（６１）と被駆動輪（６２）の形式である長手方向に相対する輪上で駆動されることを特徴とする請求項２８から３６のいずれか１項に記載のコンベア。
【請求項３８】
前記コンベアベルト（１３）と係合しこれを駆動するための前記手段は、前記コンベアベルト（１３）を支持及び誘導するための前記手段と接続するための各手段（７１）を有する各支持手段（７０）を備えることを特徴とする請求項３７に記載のコンベア。
【請求項３９】
前記各支持手段（７０）は、相対するサイドパネル（７２、７４）を備え、前記サイドパネルが前記駆動輪（６１、６２）用の対応するベアリング手段を支持することを特徴とする請求項３８に記載のコンベア。
【請求項４０】
前記支持手段は、前記連続支持要素（４０）を誘導するための前記手段（５０）を支持し、前記相対するサイドパネル（７２、７４）の間に設けられることを特徴とする請求項３９に記載のコンベア。
【請求項４１】
前記突出部（４５、４５）が前記歯部（３１）の側方表面に形成された対応する空洞部に挿入されることを特徴とする請求項３２に記載のコンベア。
【請求項４２】
前記コンベアベルト（１３）から前記各歯部（３１）を分離及びそこから離間するよう移動させるための前記傾斜延伸部（５３’、５３”）の長さは、前記対応する長手方向延伸部（５１’、５１”）の長さと略等しいことを特徴とする請求項３３または３４に記載のコンベア。
【請求項４３】
前記各歯部（３１）を係合及び前記コンベアベルト（１３）から離間するよう移動させるための前記傾斜延伸部（５２’、５２”）の長さは、前記対応する長手方向延伸部（５１’、５１”）及び／又は前記対応する傾斜延伸部（５３’、５３”）の長さよりはるかに短いことを特徴とする請求項３３または３４に記載のコンベア。
【請求項４４】
連結式のリンク型であるコンベアベルトを駆動するための駆動ユニットであって、前記コンベアベルトが請求項１から４３のいずれか１項に記載されたようなものであることを特徴とする駆動ユニット。